(57)【要約】【課題】バイオセンサを内蔵したコンタクトレンズについて、測定精度の向上に資するバイオセンサの試験装置及び試験方法を提供する。【解決手段】コンタクトレンズ５０を所定の濃度の基質を含んだ溶液に浸漬させる溶液供給部１と、コンタクトレンズと無線通信を行って、コンタクトレンズによる基質濃度の測定結果を取得する無線通信部２０ａと、コンタクトレンズによる測定結果に基づいてコンタクトレンズ５０のバイオセンサの検出値と基質濃度との相関関係を求める解析部２０ｂと、を備えたコンタクトレンズ５０の試験装置１０によりコンタクトレンズ５０のバイオセンサの補正データを得る。【選択図】図７
2016161816.tif 000002
【特許請求の範囲】
【請求項１】
生体の情報を取得するセンサと該センサの計測制御及び外部との無線通信機能を有する回路とを内蔵したコンタクトレンズの試験装置であって、
前記コンタクトレンズを溶液に浸漬させる溶液供給部と、
前記コンタクトレンズと無線通信を行う無線通信部と、
を備えたことを特徴とするコンタクトレンズの試験装置。
【請求項２】
前記コンタクトレンズのセンサの検出データと前記溶液の実際の濃度又は温度との相関関係を求める解析部を備えたことを特徴とする請求項１に記載のコンタクトレンズの試験装置。
【請求項３】
前記無線通信部を介して前記コンタクトレンズの回路との間でデータの送受信を行い、前記コンタクトレンズの良否判定を行う判定部を備えたことを特徴とする請求項１に記載のコンタクトレンズの試験装置。
【請求項４】
更に、前記溶液供給部の温度を制御する温度調整装置を備え、
前記解析部は、前記センサの基質濃度の検出データと実際の基質の濃度との相関関係の温度依存性を求めることを特徴とする請求項１又は請求項２に記載のコンタクトレンズの試験装置。
【請求項５】
前記解析部は、前記無線通信部を介して前記コンタクトレンズに前記センサの検出データと溶液の基質濃度との相関関係を含む補正データの書き込みを行うことを特徴とする請求項１乃至請求項３のいずれか１項に記載のコンタクトレンズの試験装置。
【請求項６】
前記解析部は、ネットワークを介して外部のサーバに前記コンタクトレンズのＩＤ番号と前記センサの検出データと溶液の基質濃度との相関関係を含む補正データとを対応付けて格納することを特徴とする請求項１乃至請求項３のいずれか１項に記載のコンタクトレンズの試験装置。
【請求項７】
前記溶液供給部は、複数のコンタクトレンズに同時に同じ基質濃度の溶液を供給するとともに、前記無線通信部は複数のコンタクトレンズと通信を行って、各コンタクトレンズの測定結果を取得することを特徴とする請求項１乃至請求項３のいずれか１項に記載のコンタクトレンズの試験装置。
【請求項８】
前記無線通信部は、前記複数のコンタクトレンズの各々に対応したアンテナを有し、前記アンテナを切り替えながら各コンタクトレンズの測定結果を取得することを特徴とする請求項７に記載のコンタクトレンズの試験装置。
【請求項９】
前記無線通信部は、各々のコンタクトレンズに対して順番にＩＤを指定して通信を行うことを特徴とする請求項７に記載のコンタクトレンズの試験装置。
【請求項１０】
生体の情報を取得するセンサと該センサの計測制御及び外部との無線通信機能を有する回路とを内蔵したコンタクトレンズの試験方法であって、
前記コンタクトレンズを溶液に浸漬させるステップと、
前記コンタクトレンズと無線通信を行なうステップと、
を有することを特徴とするコンタクトレンズの試験方法。
【請求項１１】
前記コンタクトレンズのセンサの検出データと前記溶液の実際の基質濃度又は温度との相関関係を求めるステップを有することを特徴とする請求項１０に記載のコンタクトレンズの試験方法。
【請求項１２】
前記コンタクトレンズの回路との間でデータの送受信を行い、前記コンタクトレンズの良否判定を行うステップを有することを特徴とする請求項１０に記載のコンタクトレンズの試験方法。
【請求項１３】
温度を変化させた条件で前記センサの検出データ取得するステップと、
前記センサの検出データと溶液の基質濃度の温度依存性を求めるステップと、
前記コンタクトレンズに前記センサの検出データと前記溶液の実際の基質濃度又は温度との相関関係を含む補正データの書き込みを行うステップと、
を有することを特徴とする請求項１１又は請求項１２に記載のコンタクトレンズの試験方法。
【請求項１４】
温度を変化させた条件で前記センサの検出データ取得するステップと、
前記センサの検出データと溶液の基質濃度の温度依存性を求めるステップと、
ネットワークを介して外部のサーバに前記コンタクトレンズのＩＤ番号と前記センサの検出データと溶液の基質濃度との相関関係を含む補正データとを対応付けて格納するステップと、
を有することを特徴とする請求項１１又は請求項１２に記載のコンタクトレンズの試験方法。
【請求項１５】
複数のコンタクトレンズに同時に同じ基質濃度の溶液を供給するとともに、複数のコンタクトレンズと無線通信を行って、各コンタクトレンズのセンサの検出データを取得することを特徴とする請求項１１又は請求項１２に記載のコンタクトレンズの試験方法。
【請求項１６】
コンタクトレンズ上に設けられたバイオセンサと、
前記バイオセンサの検出値を測定する測定回路と、
前記測定回路の検出結果を無線信号に変調して出力する通信制御回路と、
前記通信制御回路に接続され、無線信号の授受を行うアンテナと、
を備えたコンタクトレンズと、
前記コンタクトレンズを溶液に浸漬させる溶液供給部と、
前記コンタクトレンズと無線通信を行う無線通信部と、
前記コンタクトレンズのセンサの検出データと前記溶液の実際の濃度又は温度との相関関係を求める解析部と、
を備えたことを特徴とするコンタクトレンズの試験システム。
【発明の詳細な説明】
【技術分野】
【０００１】
本発明は、バイオセンサを内蔵したコンタクトレンズの試験装置及び試験方法に関する。
【背景技術】
【０００２】
採血を行わずに、血糖値等の生体情報を取得する方法の一つとして、涙を利用するバイオセンサ内蔵型のコンタクトレンズが提案されている。
【０００３】
バイオセンサ内蔵型のコンタクトレンズを用いることにより、使用者に負担なく、継続的に血糖値等の生体情報の測定を行えることから、病気の早期発見、治療及び健康管理への応用が期待される。
【先行技術文献】
【特許文献】
【０００４】
【特許文献１】特表２０１１−５２１７５９号公報
【発明の概要】
【発明が解決しようとする課題】
【０００５】
バイオセンサの検出データを外部の測定機器に送信するために、コンタクトレンズに薄膜状の制御回路を搭載することが考えられる。
【０００６】
しかし、このようなコンタクトレンズに対して、良否判定やバイオセンサの特性の測定を効率よく行う方法は提案されていない。
【０００７】
そこで、センサを含むコンタクトレンズを効率よく試験できるコンタクトレンズの試験装置及び試験方法を提供することを目的とする。
【課題を解決するための手段】
【０００８】
下記開示の一観点によれば、生体の情報を取得するセンサと該センサの計測制御及び外部との無線通信機能を有する回路とを内蔵したコンタクトレンズの試験装置であって、前記コンタクトレンズを溶液に浸漬させる溶液供給部と、前記コンタクトレンズと無線通信を行う無線通信部と、を備えたコンタクトレンズの試験装置が提供される。
【０００９】
また、別の一観点によれば、生体の情報を取得するセンサと該センサの計測制御及び外部との無線通信機能を有する回路とを内蔵したコンタクトレンズの試験方法であって、前記コンタクトレンズを溶液に浸漬させるステップと、前記コンタクトレンズと無線通信を行なうステップと、を有するコンタクトレンズの試験方法が提供される。
【発明の効果】
【００１０】
上記観点のコンタクトレンズの試験装置によれば、無線通信によりバイオセンサの検出値を取得できるため、効率よくコンタクトレンズに搭載されたバイオセンサの特性を測定できる。そして、測定により求めた検出値と基質の濃度との相関関係に基づいてバイオセンサの補正に必要なデータを生成することで、正確な基質濃度の測定が可能となる。
【図面の簡単な説明】
【００１１】
【図１】図１（ａ）は、バイオセンサを搭載したコンタクトレンズの平面図であり、図１（ｂ）は、図１（ａ）のコンタクトレンズの斜視図である。
【図２】図２は、涙に含まれる糖分（涙糖）の濃度と血糖値との関係性を示す図である。
【図３】図３は、バイオセンサの検出値のバラつきの例を示す図である。
【図４】図４は、バイオセンサの検出値の温度による変化を示す図である。
【図５】図５は、コンタクトレンズの補正データの測定ポイントの一例を示す図である。
【図６】図６は、図１のコンタクトレンズの回路構成を示すブロック図である。
【図７】図７は、第１実施形態に係るコンタクトレンズの試験装置を示す図である。
【図８】図８は、図７の試験装置を用いたコンタクトレンズの試験方法を示すフローチャートである。
【図９】図９は、図７の試験装置における各コンタクトレンズの良否判定の方法を示すフローチャートである。
【図１０】図１０は、図７の試験装置における各コンタクトレンズの検出値の取得方法を示すフローチャートである。
【図１１】図１１は、図７の試験装置における各コンタクトレンズの補正データの書き込み方法を示すフローチャートである。
【図１２】図１２は、第２実施形態に係るコンタクトレンズの試験装置を示す図である。
【図１３】図１３は、図１１の試験装置における各コンタクトレンズの良否判定の方法を示すフローチャートである。
【図１４】図１４は、図１１の試験装置における各コンタクトレンズの検出値の取得方法を示すフローチャートである。
【図１５】図１５は、図１１の試験装置における各コンタクトレンズの補正データの書き込み方法を示すフローチャートである。
【発明を実施するための形態】
【００１２】
以下、添付の図面を参照しつつ実施の形態について説明する。
【００１３】
（第１実施形態）
図１（ａ）は、バイオセンサを搭載したコンタクトレンズの平面図であり、図１（ｂ）は、図１（ａ）のコンタクトレンズの斜視図である。
【００１４】
図１（ａ）、図１（ｂ）に示すコンタクトレンズ５０には、周縁部に導体を薄膜パターンとして形成してなるバイオセンサ５１が設けられている。
【００１５】
バイオセンサ５１は、図１（ａ）の部分拡大図に示すように、平板状に形成された第１の電極５１ａと、第１の電極５１ａの周囲を囲むように形成された第２の電極５１ｂとを有している。
【００１６】
第１の電極５１ａは例えばプラチナ（Ｐｔ）よりなる薄膜パターンとして形成されている。第２の電極５１ｂは、例えば銀（Ａｇ）よりなる薄膜パターンを形成し、その表面を塩化処理したＡｇ／ＡｇＣｌ（銀塩化銀）電極となっている。
【００１７】
そして、第１の電極５１ａの上には測定対象となる基質と反応する酵素５１ｃが取り付けられている。
【００１８】
涙液中のグルコース（涙糖とも呼ぶ）の濃度を測定する場合には、酵素５１ｃとして、特に限定されないが、例えばグルコースオキシダーゼ（glucose oxidase；ＧＯＤ）を用いることができる。
【００１９】
グルコースオキシダーゼは、涙液中のグルコース（ブドウ糖）をグルコン酸に酸化するときに、下記の反応により過酸化水素を生成する。
【００２０】
グルコース＋Ｏ2→Ｈ2Ｏ2（過酸化水素）＋グルコン酸
このとき電圧を加えると、Ｈ2Ｏ2が電荷を生じ、その電荷の量に応じた電流が流れる。
【００２１】
Ｈ2Ｏ2→２Ｈ+＋Ｏ2＋２ｅ-
ＡｇＣｌ＋ｅ-→Ａｇ＋Ｃｌ-
このようにして、第１の電極５１ａと第２の電極５１ｂとの間に所定の電圧を印加すると、上記の反応で生じた電荷の量に応じた電流が流れる。発生する電荷（過酸化水素）の量は、溶液中のグルコース濃度に応じて変化するため、バイオセンサ５１は、電流値としてグルコース濃度を検出する。なお、バイオセンサ５１で消費されるグルコースの量は涙液中に含まれるグルコースの量よりもはるかに少ないため、バイオセンサ５１の検出値は涙液の量（グルコースの量）によってはほとんど変化しない。
【００２２】
コンタクトレンズ５０は、使用者の目に装着された状態で、バイオセンサ５１の部分が涙と接触し、涙に含まれる基質の測定に用いられる。図２は、涙に含まれる糖分（涙糖）の濃度と血糖値との関係性を示す図である。
【００２３】
図２に示すように、涙に含まれる糖分（涙糖）の濃度は、血糖値と一定の相関関係があることから、涙糖の濃度を測定することで、使用者の血液を採取することなく血糖値の測定を行える。また、涙液は基礎分泌によって常時更新されるため、採血によるサンプリングでは不可能な、リアルタイムでの血糖値の測定も可能となる。
【００２４】
ただし、コンタクトレンズ５０は、バイオセンサ５１の特性のバラつきが大きく、血糖値を管理するには測定精度が十分ではないという問題がある。
【００２５】
図３は、バイオセンサ５１の測定値（電流値）と基質濃度（グルコース濃度）との関係を示す図である。
【００２６】
図３に示す曲線ａ１、ａ２、ａ３は、それぞれ異なるコンタクトレンズ５０に搭載されたバイオセンサ５１の、一定の電圧の下で流れる電流値（測定値）とグルコース濃度との関係を示している。
【００２７】
曲線ａ１〜ａ３に示すように、一定の電圧の下で流れる電流値（測定値）とグルコース濃度との関係が、バイオセンサ５１毎に大きく異なってしまう。
【００２８】
図４は、温度変化によるバイオセンサ５１の出力の変化の例を示す図である。
【００２９】
図示のように、バイオセンサ５１は、温度によっても（測定値）とグルコース濃度との関係が変化する。
【００３０】
このようなバラつきは、酵素５１ｃに含まれるグルコースオキシダーゼの濃度及び特性、並びに酵素５１ｃの塗布量等のバラつきといった要因で生じており、バイオセンサ５１の製造プロセスの改良のみによるバラつき抑制は困難である。そのため、コンタクトレンズ５０毎にバイオセンサ５１の特性を測定して校正する必要がある。
【００３１】
バイオセンサ５１を用いて正確なグルコース濃度を測定するためには、図３及び図４のような一定の電圧の下で流れる電流値（測定値）とグルコース濃度との相関関係及びその温度依存性（以下、両者をまとめて補正データと呼ぶ）を実験的に求め、その補正データに基づいて検出値をグルコース濃度に換算する必要がある。
【００３２】
図５は、コンタクトレンズ５０の測定条件の一例を示す図である。
【００３３】
図中の条件に限定されるものではないが、例えばグルコース濃度を０．０１ｍＭ（ミリモーラー）〜１２ｍＭ（ミリモーラー）の範囲で、温度を２５℃〜４０℃の範囲で変化させた条件Ａ11〜Ａ34で検出値を求める試験を行う。このように、コンタクトレンズ５０の特性の測定には異なる条件の下で多数の試験を行う必要がある。このような補正データの取得は、コンタクトレンズ５０の製造工程において行っておくことが好ましい。
【００３４】
以下、コンタクトレンズ５０の他の構成について説明する。
【００３５】
コンタクトレンズ５０は上記のバイオセンサ５１の検出値の取得を容易にするべく、図１に示すように、測定回路５２と、アンテナ５３と、通信制御回路５４とを備えている。
【００３６】
図６は、図１に示すコンタクトレンズ５０の回路構成の概要を示すブロック図である。
【００３７】
図６に示すように、測定回路５２はバイオセンサ５１（第１の電極５１ａ及び第２の電極５１ｂ）に接続されている。
【００３８】
この測定回路５２は、第１の電極５１ａ及び第２の電極５１ｂに所定の電圧を印可する電圧供給部５２ａを備える。その電圧供給部５２ａからの電圧により、グルコース濃度に応じた電流が第１の電極５１ａ及び第２の電極５１ｂ間に流れる。その電流の大きさは電流検出部５２ｂによって電圧に変換され、ＡＤ変換部５２ｃによってデジタル信号に変換される。
【００３９】
測定回路５２には、更に、温度センサ５２ｄが内蔵されている。この温度センサ５２ｄは、バイオセンサ５１の温度を検出するものであり、その温度データはバイオセンサ５１の検出値の補正に用いられる。
【００４０】
測定回路５２は通信制御回路５４に接続されており、測定回路５２の検出値は通信制御回路５４に送られる。
【００４１】
通信制御回路５４には、コンタクトレンズのＩＤ情報やバイオセンサ５１の補正に必要なデータなどを格納する制御部５４ａと外部機器との無線通信を行う通信部５４ｂとが含まれている。
【００４２】
制御部５４ａでは、測定回路５２の検出値を所定の無線通信用の信号に変換して通信部５４ｂに出力する。なお、制御部５４ａは、後述する補正データが書き込まれた後は、バイオセンサ５１の検出値から基質濃度を算出して出力するように構成してもよい。
【００４３】
通信部５４ｂは、制御部５４ａからの信号を高周波信号に変調してアンテナ５３を介して外部に送信する。
【００４４】
なお、通信制御回路５４には、更にアンテナ５３を介して受信した高周波信号を電力に変換する電源回路が設けられており、その電力で動作する。通信制御回路５４で生成された電力は測定回路５２にも供給される。
【００４５】
アンテナ５３は、図１に示すようにコンタクトレンズ５０の周縁部に沿ってループ状に形成されており、例えば目の上にかざした携帯電話機等の無線端末との間で無線信号の授受を行う。
【００４６】
コンタクトレンズ５０は、無線端末からの信号を受信すると、通信制御回路５４において電力を発生させて、通信制御回路５４及び測定回路５２の動作を開始する。続いて、無線端末から、コンタクトレンズ５０の涙糖の測定結果を問い合わせる信号を通信制御回路５４が受信すると、測定回路５２に測定を行う旨の信号を出力する。
【００４７】
測定回路５２は、通信制御回路５４からの信号に基づいて、バイオセンサ５１に流れる電流値を測定し、その結果を通信制御回路５４に送信する。
【００４８】
その後、通信制御回路５４は、測定回路５２の検出値と補正データとに基づいてグルコース濃度を算出し、アンテナ５３を介して涙糖の測定結果を無線端末に送信する。無線端末は、コンタクトレンズ５０の涙糖の測定結果に基づいて血糖値を算出してユーザーに提示する。
【００４９】
なお、通信制御回路５４で涙糖値の算出は行わず、コンタクトレンズ５０のＩＤ番号とバイオセンサ５１の検出値のみを無線端末に送信し、補正データによる涙糖の算出を無線端末側で行なわせるように構成してもよい。
【００５０】
このようなバイオセンサ５１を搭載したコンタクトレンズ５０から正確な涙糖値を求めるためには、試験を行なってコンタクトレンズ５０に固有の補正データを効率よく取得するコンタクトレンズの試験装置が求められる。
【００５１】
以下、第１実施形態に係るコンタクトレンズの試験装置について説明する。
【００５２】
図７は、第１実施形態に係るコンタクトレンズの試験装置を示す図である。
【００５３】
図７に示す試験装置１０は、所定の基質濃度に調整された溶液を試験対象とするコンタクトレンズ５０に接触させる溶液供給手段としての試験槽１及び溶液調整装置２を備えている。
【００５４】
試験槽１は、溶液調整装置２により所定の基質濃度に調整された溶液が供給されその溶液によって満たされている。複数のコンタクトレンズ５０を保持したトレイ４は、試験槽１内に搬入されて試験が行われる。
【００５５】
また、試験槽１には撹拌装置５と、溶液中の基質の濃度を測定する濃度センサ９と、溶液の温度を一定に保つ温度調整器６とが取り付けられている。撹拌装置５は、試験槽１内に所定の濃度の基質を含む溶液を均一に保つ。濃度センサ７は、溶液中の基質の濃度を測定し、その測定データは溶液調整装置２による溶液の濃度管理に利用される。また温度調整器６は、溶液の基質濃度及び温度を一定に保つ。
【００５６】
トレイ４には、複数の凹部が設けられており、その凹部にコンタクトレンズ５０が保持される。そのトレイ４は、搬送装置８によって試験槽１へ搬入及び搬出される。
【００５７】
トレイ４に対向する部分にはアンテナ３が設けられている。アンテナ３は、トレイ４の下にループ状に形成されており、トレイ４に保持された複数のコンタクトレンズ５０と無線通信を行うことができる。
【００５８】
図示の例では、アンテナ３は試験槽１の外に配置されているが、これに限定されるものではなく、試験槽１の内部やトレイ４の上部に配置してもよい。
【００５９】
このアンテナ３には、試験制御装置２０が接続されている。試験制御装置２０には、解析部２０ａと無線通信部２０ｂとが設けられている。無線通信部２０ｂは、コンタクトレンズ５０のＩＤ番号を利用して時分割的に各コンタクトレンズ５０と順次無線通信を行って検出値を取得する。解析部２０ａは、検出値に基づいてバイオセンサ５１の検出値と基質濃度の相関関係の算出及びその相関関係の温度依存性を求める処理を行う。
【００６０】
また、試験制御装置２０は、溶液調整装置２、溶液撹拌装置５、温度調整器６及び搬送装置８等の試験装置１０の各部の制御も行う。
【００６１】
以下、試験装置１０によるコンタクトレンズの試験方法について説明する。
【００６２】
図８は、試験装置１０を用いたコンタクトレンズの試験方法を示すフローチャートである。
【００６３】
まず、図８のステップＳ１０において、溶液調整装置２が、試験装置１０の試験槽１内に所定の基質濃度の溶液を投入する。また、温度調整器６が投入された溶液を温度に調整する処理を行う。
【００６４】
次いで、ステップＳ２０に移行し、搬送装置８が、試験槽１にコンタクトレンズ５０を保持したトレイ４を搬入して、コンタクトレンズ５０を溶液に接触させる。
【００６５】
次に、ステップＳ２５において、トレイ４に収容された各コンタクトレンズ５０の良否判定を行う。この良否判定は、以下の図９に示す手順で行う。ここに、図９は、試験装置１０における各コンタクトレンズ５０の良否判定の方法を示すフローチャートである。
【００６６】
図９のステップＳ２６１において、試験制御装置２０の無線通信部２０ｂが、アンテナ３を介してトレイ４に保持された複数のコンタクトレンズ５０の中から最初のコンタクトレンズ５０のＩＤ番号を送信しＩＤ番号の問い合わせを行う。
【００６７】
その後、ステップＳ２５２において、試験制御装置２０は、所定の期間、対応するコンタクトレンズ５０からの応答を待つ。所定の期間内にコンタクトレンズ５０からの応答が得られない場合には（ＮＯ）、ステップＳ２５６に移行し、判定部２０ｂがＩＤ番号に対応するコンタクトレンズ５０が不良であるものと判定する。
【００６８】
なお、ステップＳ２５６へ最終的に移行する前に、ステップＳ２５２においてコンタクトレンズ５０からの応答が得られない場合において、複数回ＩＤ番号の問い合わせを試みるようにしてもよい。
【００６９】
一方、コンタクトレンズ５０からの応答があった場合には（ＹＥＳ）、ステップＳ２５３に移行し、回路試験を行う。
【００７０】
ステップＳ２５３の回路試験では、試験制御装置２０からのコマンドをＩＤ番号を指定したコンタクトレンズ５０に送信し、コンタクトレンズ５０の回路の試験を行う。ここでは、例えば、コンタクトレンズ５０の通信部５４ｂのデータ送受信機能の確認、制御回路５４及び測定回路５２の動作確認及び、制御回路５４のメモリ書き込み機能の確認などの試験が行われる。
【００７１】
その後ステップＳ２５４に移行し、試験制御装置２０の判定部２０ｃが全ての試験項目が異常なく完了したが判定する。ステップＳ２５４において、全ての試験項目が問題なく完了したと判定された場合には、ステップＳ２５５においてそのＩＤ番号のコンタクトレンズ５０を良品とする。
【００７２】
一方ステップＳ２５４において、いずれかの試験項目において異常が検出された場合には（ＮＯ）、ステップＳ２４６に移行し判定部２０ｃがそのＩＤ番号のコンタクトレンズ５０を不良品とする。
【００７３】
その後、ステップＳ２５７に移行し、試験制御装置２０は、全てのＩＤ番号について良否判定が完了したか否かを判定する。ステップＳ２５７において、全てのＩＤ番号について良否判定が完了していないと判定された場合には（ＮＯ）、ステップＳ２５８に移行し試験制御装置２０は、ＩＤ番号をカウントアップし、ステップＳ２５１に戻る。
【００７４】
一方、ステップＳ２５７において、全てのＩＤ番号について良否判定が完了したと判定された場合には（ＹＥＳ）、良否判定の試験を終了する。
【００７５】
なお、不良と判定されたコンタクトレンズ５０については、以後のバイオセンサ５１の試験（ステップＳ３０）を省略する。
【００７６】
その後、図８のステップＳ３０において、各コンタクトレンズ５０のバイオセンサ５１の検出値を取得する。このバイオセンサ５１の検出値の取得は以下の図１０に示す手順で行う。
【００７７】
図１０は、試験装置１０における各コンタクトレンズ５０の検出値の取得方法を示すフローチャートである。
【００７８】
図１０のステップＳ３０１において、試験制御装置２０の無線通信部２０ｂが、アンテナ３を介してトレイ４に保持された複数のコンタクトレンズ５０の中から最初のコンタクトレンズ５０のＩＤ番号を送信し、ＩＤ番号の問い合わせを行う。そして、対応するＩＤ番号のコンタクトレンズ５０（測定対象コンタクトレンズ）との通信を開始する。
【００７９】
次に、ステップＳ３０２に移行し、試験制御装置２０の無線通信部２０ｂは、測定対象コンタクトレンズと通信を行って、測定対象コンタクトレンズのバイオセンサ５１が検出値及びバイオセンサ５１の温度を取得する。
【００８０】
次いで、ステップＳ３０３において、試験制御装置２０が、測定対象コンタクトレンズのＩＤ番号と共に取得した検出値を記憶する。
【００８１】
その後、ステップＳ３０４に移行し、試験制御装置２０が、全てのＩＤ番号についてデータ取得が完了したか否かを判定する。全てのＩＤ番号についてデータ取得が完了していないと判定した場合には（ＮＯ）、ステップＳ３０５に移行しＩＤ番号のカウントアップを行う。
【００８２】
一方、ステップＳ３０４において全てのＩＤ番号についてデータ取得が完了したと判定した場合には、各コンタクトレンズ５０の検出値の取得処理（ステップＳ３０）を終了する。
【００８３】
その後、図８のステップＳ４０に移行し、試験制御装置２０は、予定された測定条件の全てについて検出値の取得が行われたか否かを判定する。
【００８４】
ステップＳ４０において、試験制御装置２０が予定された測定条件の全てについて検出値の取得が行われていないと判定した場合には、ステップＳ５０に移行する。
【００８５】
ステップＳ５０では、溶液調整装置２で調整された異なる基質濃度の溶液の供給、又は温度調整器６による温度条件の変更を行い、その後、ステップＳ３０に移行してコンタクトレンズ５０の検出値の取得処理を行う。
【００８６】
一方、ステップＳ４０において、試験制御装置２０が予定された測定条件の全てについて検出値の取得が完了したと判断した場合には、ステップＳ６０に移行する。
【００８７】
ステップＳ６０では、試験制御装置２０の解析部２０ａが、ＩＤ番号ごとに温度及び溶液濃度に対するバイオセンサ５１の検出値（電流値）と実際の溶液の基質濃度の関係式及びその関係式の温度依存性を求める。これらのデータは、補正データとして試験制御装置２０に格納される。なお、解析部２０ａは、バイオセンサ５１の検出値が所定値を超えている場合には、そのコンタクトレンズ５０を不良品と判定する。
【００８８】
その後、ステップＳ７０に移行し、各コンタクトレンズ５０に補正データを書き込む処理を行う。
【００８９】
図１２は、各コンタクトレンズ５０に補正データを書き込む処理を示すフローチャートである。
【００９０】
図１２のステップＳ７０１において、試験制御装置２０は、アンテナ３を介してトレイ４に保持された複数のコンタクトレンズ５０の中から最初のコンタクトレンズ５０のＩＤ番号を送信し、ＩＤ番号の問い合わせを行う。そして、対応するＩＤ番号のコンタクトレンズ５０（測定対象コンタクトレンズ）との通信を開始する。
【００９１】
次に、ステップＳ７０２において、試験制御装置２０は、ＩＤ番号に対応するコンタクトレンズの補正データを、アンテナ３を介してコンタクトレンズ５０の通信制御回路５４に送り、補正データを書き込む。
【００９２】
その後、ステップＳ７０３に移行して、試験制御装置２０は、全てのＩＤ番号について書き込み処理が完了したか判定する。ここで、全てのＩＤ番号について書き込み処理が完了していないと判定された場合には（ＮＯ）、ステップＳ７０４に移行しＩＤ番号をカウントアップした後、ステップＳ７０２に移行する。
【００９３】
ステップＳ７０４で、全てのＩＤ番号について書き込み処理が完了したか判定された場合には、補正データの書き込み処理を終了する。
【００９４】
このようにして、試験制御装置２０は、ＩＤ番号を問い合わせつつ、それぞれの補正データをコンタクトレンズ５０の通信制御回路５４に書き込む処理を行う。
【００９５】
以上の処理を経て、コンタクトレンズの試験を終了する。
【００９６】
以上のように、本実施形態のコンタクトレンズの試験装置によれば、異なる基質濃度及び温度条件の下で、多数コンタクトレンズ５０に対して無線通信を行って素早く検出値の測定を行うことができる。
【００９７】
これにより、一枚ずつコンタクトレンズの５０試験を行うよりも効率よく試験を行うことができる。
【００９８】
（第２実施形態）
図１２は、第２実施形態に係るコンタクトレンズの試験装置を示す図である。
【００９９】
本実施形態に係る試験装置１１は、アンテナ３ａとセレクタ２１において図７のコンタクトレンズの試験装置１０と異なる。なお、試験装置１１において図７の試験装置１０と同様の構成部材については同一の符号を付してその詳細な説明は省略する。
【０１００】
図１２に示すように、試験装置１１は、ホルダー４に保持されたコンタクトレンズ５０の各々に対して小型のアンテナ３ａが設けられている。アンテナ３ａは、コンタクトレンズ５０のアンテナ５３と対向するように配置されており、対向するコンタクトレンズ５０のみと通信を行うことができる。
【０１０１】
これらのアンテナ３ａは、セレクタ２１に接続されている。セレクタ２１は、試験制御装置２０の制御の下で、各アンテナ３ａを切り替えることで、無線通信を行うコンタクトレンズ５０を選択する。
【０１０２】
本実施形態の試験装置１１によるコンタクトレンズの試験方法の概要は、図８に示した試験装置１０による試験方法のステップＳ１０〜Ｓ７０と同様である。但し、各コンタクトレンズの良否判定方法（ステップＳ２５１〜Ｓ２５８）、各コンタクトレンズの検出値の取得方法（ステップＳ３０１〜Ｓ３０５）及び補正データの書き込み方法（ステップＳ７０１〜７０４）において異なる。
【０１０３】
図１３は、試験装置１１においける各コンタクトレンズ５０の良否判定の方法を示すフローチャートである。
【０１０４】
図１３に示すように、ステップＳ２６１において、試験制御装置２０の無線通信部２０ｂは、セレクタ２１の最初のチャネルに設定し、最初のコンタクトレンズ５０との無線通信を開始する。
【０１０５】
次に、ステップＳ２６２において、試験制御装置２０は、セレクタ２１で選択され他コンタクトレンズ５０の回路試験を行う。ここでは、例えば、コンタクトレンズ５０のＩＤ番号の確認、通信部５４ｂの送受信の確認、制御回路５４のメモリ書き込み動作の確認、及び測定回路５２の動作の確認等を行う。
【０１０６】
次に、ステップＳ２６３において、試験制御装置２０の判定部２０ｃにおいて、全ての検査項目について問題なく回路試験が完了したか判定する。
【０１０７】
ステップＳ２６３において、いずれかの検査項目について問題があった場合（ＮＯ）には、ステップＳ２６５に移行し、判定部２０ｃはコンタクトレンズ５０が不良であるものと判定する。
【０１０８】
また、ステップＳ２６３において、全ての検査項目について問題なく回路試験が完了したと判定された場合（ＹＥＳ）には、ステップＳ２６４に移行しコンタクトレンズ５０が良品であるものと判定する。
【０１０９】
その後、ステップＳ２６６に移行し、試験制御装置２０が全てのＩＤについて良否判定が完了したか判定する。
【０１１０】
ステップＳ２６６において全てのＩＤについて良否判定が完了していないと判定された場合（ＮＯ）には、ステップＳ２６７に移行し、セレクタ２１のチャネルを切り替えてステップＳ２６２に戻る。
【０１１１】
一方、ステップＳ２６６において、全てのチャネルについて良否判定が完了したと判定された場合（ＹＥＳ）には、良否判定を終了する。
【０１１２】
以上により、トレイ４に収容されたコンタクトレンズ５０の良否判定（ステップＳ２５、図８参照）が完了したことになる。なお、不良と判定されたコンタクトレンズ５０については、以後のバイオセンサ５１の試験を省略する。
【０１１３】
図１４は、試験装置１１における検出値の取得方法を示すフローチャートである。
【０１１４】
図１４に示すように、ステップＳ３１１において試験制御装置２０の無線通信部２０ｂは、セレクタ２１の最初のチャネルに設定し、最初のコンタクトレンズ５０との無線通信を開始する。
【０１１５】
次に、ステップＳ３１２において、無線通信部２０ｂは、コンタクトレンズ５０と通信を行い、バイオセンサ５１の基質濃度の検出値（電流値）及びバイオセンサ５１の温度の検出結果を取得する。
【０１１６】
その後、ステップＳ３１３に移行し、試験制御装置２０は、選択中のセレクタＳ２１のチャネル番号と共に、ステップＳ３１２で取得した検出値を格納する。
【０１１７】
次に、ステップＳ３１４において、試験制御装置２０は、セレクタＳ２１の全てのチャネルで検出値の取得が完了したか否かを判定する。このステップＳ３１４において全ての検出値の取得が完了していないと判定された場合（ＮＯ）には、ステップＳ３１５に移行して測定制御装置２０は、セレクタＳ２１のチャネルの切り替えを行い、ステップＳ３１２に移行する。
【０１１８】
一方、ステップＳ３１４において、セレクタＳ２１の全てのチャネルで検出値の取得が完了したと判定された場合（ＹＥＳ）には、検出値の取得処理を終了する。
【０１１９】
以上により各コンタクトレンズ５０の検出値の取得が完了する。
【０１２０】
また、補正データのコンタクトレンズの書き込みは、図１５に示す手順で行う。
【０１２１】
図１５は、試験装置１１における検出値の書き込み方法を示すフローチャートである。
【０１２２】
図示のように、まず、ステップＳ７１１において、試験制御装置２０は、セレクタＳ２１の最初のチャネルに設定し、無線通信部２０ｂを用いて最初のコンタクトレンズ５０との無線通信を開始する。
【０１２３】
その後、ステップＳ７１２に移行し、無線通信部２０ｂは、選択中のチャネルに対応する補正データをコンタクトレンズ５０に書き込む。
【０１２４】
その後、ステップＳ７１３に移行し、測定制御装置２０は、セレクタＳ２１の全てのチャネルについて書き込み処理が完了したか判定する。
【０１２５】
ステップＳ７１３で、セレクタＳ２１の全てのチャネルについて書き込みが完了していないと判断された場合には（ＮＯ）、測定制御装置２０は、ステップＳ７１４に移行してセレクタＳ２１のチャネルを切り替え、ステップＳ７１２に移行する。
【０１２６】
一方、ステップＳ７１３で、セレクタＳ２１の全てのチャネルについて書き込みが完了したと判断された場合には（ＹＥＳ）、検出値の書き込み処理を終了する。
【０１２７】
以上のように、本実施形態の試験装置１１によれば、個々のコンタクトレンズ５０のＩＤ番号を付与しなくても、補正に必要なデータの取得及び書き込みを行うことができる。
【０１２８】
（その他の実施形態）
上記に説明した実施形態では、基質としてグルコース（ブドウ糖）を測定する例を説明したが、本発明はこれに限定されるものではない。例えば、涙液中の各種ストレスホルモン、女性ホルモン及びコルチゾール等の検出値の補正にも適用できる。
【０１２９】
また、補正データをコンタクトレンズ５０に書き込む以外の構成としてもよい。例えば、補正データをコンタクトレンズのＩＤ番号とともにデータセンタに登録しておき携帯電話などの端末を目にかざして測定を行う際に、データセンタから補正データを呼び出して端末装置において検出値の補正を行ってもよい。
【符号の説明】
【０１３０】
１…試験槽、２…溶液供給装置、３…アンテナ、４…トレイ、５…撹拌装置、６…温度調整器、８…搬送装置、１０、１１…試験装置、２０…試験制御装置、２０ａ…解析部、２０ｂ…無線通信部、２０ｃ…判定部、２１…セレクタ、５０…コンタクトレンズ、５１…バイオセンサ、５２…測定回路、５２ａ…電圧供給部、５２ｂ…電流検出部、５２ｃ…ＡＤ変換部、５２ｄ…温度センサ、５３…アンテナ、５４…通信制御回路、５４ａ…制御部、５４ｂ…通信部。
【図１】
2016161816.tif 000003
【図２】
2016161816.tif 000004
【図３】
2016161816.tif 000005
【図４】
2016161816.tif 000006
【図５】
2016161816.tif 000007
【図６】
2016161816.tif 000008
【図７】
2016161816.tif 000009
【図８】
2016161816.tif 000010
【図９】
2016161816.tif 000011
【図１０】
2016161816.tif 000012
【図１１】
2016161816.tif 000013
【図１２】
2016161816.tif 000014
【図１３】
2016161816.tif 000015
【図１４】
2016161816.tif 000016
【図１５】
2016161816.tif 000017